(57)【要約】【課題】再利用性を向上させることができる画像表示装置の提供。【解決手段】画像表示装置４は、フレーム４１と、表示カバー４５とを備え、フレーム４１には、表示カバー４５が両面テープ４６を介して貼り付けられている。両面テープ４６は、フレーム４１に当接されるフレーム粘着面４６１と、表示カバー４５に当接されるカバー粘着面４６２とを有する。フレーム粘着面４６１およびカバー粘着面４６２には、それぞれ粘着剤が塗布され、フレーム４１および表示カバー４５は、各粘着面４６１，４６２を介して貼り付けられる。また、フレーム粘着面４６１の粘着力は、カバー粘着面４６２の粘着力と比較して弱い粘着力とされている。このような構成によれば、フレーム４１から表示カバー４５を剥がした際に、表示カバー４５側に、分離することなく両面テープ４６が残るので、画像表示装置４の再利用性を向上させることができる。【選択図】図３
2008237636.tif 000002
【特許請求の範囲】
【請求項１】
画像を表示する表示領域を有する表示手段と、当該表示領域を外部に露出させる開口部を有し、当該表示手段を内部に保持する枠体と、当該表示領域を覆うカバー部材とを備える画像表示装置であって、
前記枠体および前記カバー部材の間に介在し、当該枠体に当該カバー部材を貼り付ける貼付部材を備え、
前記貼付部材は、
前記枠体に当接され、所定の粘着力を有する枠体粘着面と、
前記カバー部材に当接され、前記枠体粘着面の粘着力と異なる粘着力を有するカバー粘着面とを有することを特徴とする画像表示装置。
【請求項２】
請求項１に記載の画像表示装置において、
前記枠体粘着面の粘着力は、前記カバー粘着面の粘着力と比較して弱いことを特徴とする画像表示装置。
【請求項３】
請求項１または請求項２に記載の画像表示装置において、
前記貼付部材は、前記枠体の開口部の周縁に、当該開口部を囲む環状に配置されることを特徴とする画像表示装置。
【請求項４】
請求項１から請求項３のいずれかに記載の画像表示装置において、
前記貼付部材は、表裏面が前記枠体粘着面および前記カバー粘着面とされる両面テープから構成されることを特徴とする画像表示装置。
【請求項５】
請求項１から請求項４のいずれかに記載の画像表示装置を備えることを特徴とする遊技機。
【発明の詳細な説明】
【技術分野】
【０００１】
本発明は、画像表示装置および遊技機に関する。
【背景技術】
【０００２】
従来、画像を表示する表示領域を有する液晶パネル等の表示手段を備える画像表示装置と、この画像表示装置を備えたパチンコ機やパチスロ機等の遊技機とが知られている（例えば、特許文献１参照）。
特許文献１に記載の遊技機では、画像表示装置は、画像の表示領域を外部に露出させた状態で表示手段を内部に保持する枠体を備えている。そして、この画像表示装置は、画像の表示領域が遊技盤の表側（遊技者側）から視認されるように、遊技盤の略中央に形成された開口部に取り付けられている。
【０００３】
また、一般的に、このような画像表示装置は、表示手段における画像の表示領域を覆うように、両面テープ等を介して枠体に貼り付けられる透光性を有する表示カバーを備えている。この表示カバーは、パチンコ機の遊技球の衝突等による画像表示装置の損傷を防止している。
ところで、画像表示装置の製造工程において、画像の表示領域および表示カバーの間に異物が混入した場合には、枠体から表示カバーを剥がした後、再度、両面テープ等を介して表示カバーを枠体に貼り付けている。
【０００４】
【特許文献１】特開２００６−１２２５７７号公報
【発明の開示】
【発明が解決しようとする課題】
【０００５】
しかしながら、例えば、両面テープを介して表示カバーを枠体に貼り付けた場合には、両面テープは、枠体側の面の粘着力と、表示カバー側の面の粘着力とが略同じであるため、枠体から表示カバーを剥がした際に、枠体および表示カバーの両方に両面テープが分離して残ってしまうという問題がある。
したがって、枠体および表示カバーに残った両面テープを除去するのに手間がかかるので、画像表示装置の再利用性が低減するという問題がある。なお、この問題は、両面テープ以外の接着剤等を用いた場合においても同様である。
【０００６】
本発明の目的は、再利用性を向上させることができる画像表示装置および遊技機を提供することにある。
【課題を解決するための手段】
【０００７】
本発明の画像表示装置は、画像を表示する表示領域を有する表示手段と、当該表示領域を外部に露出させる開口部を有し、当該表示手段を内部に保持する枠体と、当該表示領域を覆うカバー部材とを備える画像表示装置であって、前記枠体および前記カバー部材の間に介在し、当該枠体に当該カバー部材を貼り付ける貼付部材を備え、前記貼付部材は、前記枠体に当接され、所定の粘着力を有する枠体粘着面と、前記カバー部材に当接され、前記枠体粘着面の粘着力と異なる粘着力を有するカバー粘着面とを有することを特徴とする。
【０００８】
このような構成によれば、貼付部材における枠体側の面である枠体粘着面の粘着力、およびカバー部材側の面であるカバー粘着面の粘着力は、それぞれ異なる粘着力を有するので、枠体からカバー部材を剥がした際に、枠体およびカバー部材のいずれか一方に貼付部材が残る。
これにより、枠体からカバー部材を剥がした際に、枠体およびカバー部材のいずれか一方に分離することなく貼付部材が残るので、例えば、画像表示装置の製造工程において、表示手段における画像の表示領域およびカバー部材の間に異物が混入した場合であっても、枠体からカバー部材を剥がして混入した異物を除去した後に、再度、剥がしたカバー部材を枠体に貼り付けることができる。したがって、画像表示装置の再利用性を向上させることができる。
【０００９】
本発明では、前記枠体粘着面の粘着力は、前記カバー粘着面の粘着力と比較して弱いことが好ましい。
このような構成によれば、枠体からカバー部材を剥がした際に、カバー部材側に、分離することなく貼付部材が残るので、枠体側には貼付部材が残らない。
ここで、例えば、一度市場に流通した画像表示装置を回収して再利用する場合には、カバー部材は損傷しているため交換するが、表示手段および枠体等の部材は再利用することが多い。このような場合であっても、枠体からカバー部材を剥がした際に、枠体側には貼付部材が残らないので、両面テープを除去することなく、カバー部材を除く画像表示装置を容易に再利用することができる。したがって、画像表示装置の再利用性を更に向上させることができる。
【００１０】
本発明では、前記貼付部材は、前記枠体の開口部の周縁に、当該開口部を囲む環状に配置されることが好ましい。
このような構成によれば、枠体およびカバー部材が密着するので、表示手段における画像の表示領域およびカバー部材の間に異物が混入しにくくなる。したがって、画像表示装置の生産性および保守性を向上させることができる。
【００１１】
本発明では、前記貼付部材は、表裏面が前記枠体粘着面および前記カバー粘着面とされる両面テープから構成されることが好ましい。
このような構成によれば、両面テープは、薄く帯状に形成されているので、枠体およびカバー部材を近接させることができ、画像表示装置を小型化することができる。
【００１２】
本発明の遊技機は、前述した画像表示装置を備えることを特徴とする。
このような構成によれば、遊技機は、前述した画像表示装置を備えるので、前述した画像表示装置と同様の作用効果を奏することができる。したがって、画像表示装置の再利用性を向上させることができる。
【発明を実施するための最良の形態】
【００１３】
以下、本発明の一実施形態を図面に基づいて説明する。
〔パチンコ機の外観構成〕
図１は、パチンコ機１の外観を示す斜視図である。
遊技機としてのパチンコ機１は、遊技者の操作により遊技球を遊技盤上に射出して、射出された遊技球が遊技盤に設けられた入賞口等に入賞した場合に、所定数の遊技球を払い出すものである。パチンコ機１は、図１に示すように、台枠２と、台枠２内に収納される遊技機本体３とを備える。
遊技機本体３は、前面側に取り付けられる遊技盤３１と、遊技盤３１を覆う透光板を有する前扉３２と、遊技球を発射するためのハンドル３３とを備える。また、遊技機本体３には、パチンコ機１全体を制御する制御装置（図示略）が設けられている。さらに、遊技盤３１における略中央には、後述する画像表示装置４が露出する略矩形状の開口部３１Ａが形成されている。
【００１４】
〔画像表示装置の構成〕
図２は、画像表示装置４の構成を示す分解斜視図である。図３は、画像表示装置４の構成を示す横断面図である。なお、図２は、後述するフレーム４１および表示カバー４５を分解した斜視図である。また、図３中の上側の面は、画像表示装置４が遊技盤３１に取り付けられた際に、遊技盤３１の背面に当接される面である。
画像表示装置４は、図２及び図３に示すように、フレーム４１と、フレーム４１の内部に保持される液晶パネル４２と、液晶パネル４２に重ね合わされるように配置されるバックライトユニット４３と、回路基板４４とを有し、これらを一体化した構成を具備している。
【００１５】
枠体としてのフレーム４１は、図２および図３に示すように、略直方体状に形成された金属製の部材であり、略中央位置には、略矩形状の開口部４１１が形成されている。なおお、このフレーム４１は、開口部４１１側の面を遊技盤３１に当接させた状態で遊技盤３１に取り付けられる。
そして、液晶パネル４２、バックライトユニット４３、及び回路基板４４は、図３に示すように、開口部４１１側、すなわち遊技者が遊技盤３１を観察する側から順にフレーム４１内に配置されている。
【００１６】
具体的に、液晶パネル４２は、画像を表示する表示領域４２Ａを有し、開口部４１１の周縁部４１２における内側の面に当接させた状態でフレーム４１に保持されている。この際、表示領域４２Ａは、開口部４１１を介して外部に露出する。
バックライトユニット４３は、液晶パネル４２に向けて光を射出するものであり、液晶パネル４２における周縁部４１２に当接される面とは反対側の面に接するようにフレーム４１の内部に固定されている。
【００１７】
回路基板４４は、前述の制御装置による制御の下、画像信号を生成し、生成した画像信号を液晶パネル４２に出力するものであり、バックライトユニット４３とは所定の空間を隔てた状態でフレーム４１に固定されている。
そして、液晶パネル４２は、バックライトユニット４３から射出された光を回路基板４４から入力される画像信号に応じて変調して画像を形成し、形成した画像を表示領域４２Ａに表示する。なお、本実施形態では、本発明の表示手段は、液晶パネル４２及びバックライトユニット４３により構成されている。
【００１８】
また、フレーム４１には、開口部４１１を覆うように透光性を有する表示カバー４５が後述する両面テープ４６を介して貼り付けられている。
カバー部材としての表示カバー４５は、液晶パネル４２の表示領域４２Ａを遊技球の衝突等から保護するものである。表示カバー４５としては、ポリカーボネートやアクリル樹脂といった有機ガラス製でもよく、あるいは、ソーダガラスのような無機ガラス製でもよい。
【００１９】
表示カバー４５の外表面、すなわち遊技者が遊技盤３１を介して観察する面の周縁には、表示領域４２Ａにおいて遊技者が観察する範囲（見切り範囲）を区画形成するように透光性の低い塗料が塗装され、これにより、透光領域４５Ａと、不透光領域４５Ｂとが区分けされている。すなわち、液晶パネル４２の表示領域４２Ａのうち、実際に遊技者が観察可能な範囲は、透光領域４５Ａを介して観察することができる部分となる。
【００２０】
貼付部材としての両面テープ４６は、フレーム４１の周縁部４１２と、表示カバー４５との間に、開口部４１１を囲む環状に配置され、フレーム４１に表示カバー４５を貼り付けるものである。この両面テープ４６は、図３に示すように、フレーム４１に当接される枠体粘着面としてのフレーム粘着面４６１と、表示カバー４５に当接されるカバー粘着面４６２とを有し、薄く帯状に形成されている。
フレーム粘着面４６１およびカバー粘着面４６２には、それぞれ粘着剤が塗布されている。また、各粘着面４６１，４６２の粘着力は、それぞれ異なっており、フレーム粘着面４６１の粘着力は、カバー粘着面４６２の粘着力と比較して弱い粘着力とされている。
そして、表示カバー４５は、フレーム４１に各粘着面４６１，４６２を介して貼り付けられている。
【００２１】
本実施形態に係るパチンコ機１によれば、次のような効果がある。
（１）両面テープ４６におけるフレーム粘着面４６１およびカバー粘着面４６２の粘着力は、それぞれ異なる粘着力を有するので、フレーム４１から表示カバー４５を剥がした際に、表示カバー４５側に、分離することなく両面テープ４６が残る。これにより、フレーム４１側には、両面テープ４６が残らないので、例えば、画像表示装置４の製造工程において、表示領域４２Ａおよび表示カバー４５の間に異物が混入した場合であっても、フレーム４１から表示カバー４５を剥がして混入した異物を除去した後に、再度、剥がした表示カバー４５をフレーム４１に貼り付けることができる。また、例えば、一度市場に流通した画像表示装置４を回収して再利用する場合には、両面テープ４６を除去することなく、表示カバー４５を除く画像表示装置４を容易に再利用することができる。したがって、画像表示装置４の再利用性を向上させることができる。
【００２２】
（２）フレーム粘着面４６１の粘着力は、カバー粘着面４６２の粘着力と比較して弱いので、表裏面の粘着力が同じ従来の両面テープにてフレーム４１および表示カバー４５を貼り付けた場合と比較して、小さな力でフレーム４１から表示カバー４５を剥がすことができる。
（３）両面テープ４６は、フレーム４１の周縁部４１２と、表示カバー４５との間に、開口部４１１を囲む環状に配置されているので、フレーム４１および表示カバー４５が密着する。これにより、液晶パネル４２の表示領域４２Ａおよび表示カバー４５の間に異物が混入しにくくなる。したがって、画像表示装置４の生産性および保守性を向上させることができる。
（４）フレーム４１および表示カバー４５は、両面テープ４６により貼り付けられ、両面テープは、薄く帯状に形成されているので、フレーム４１および表示カバー４５を近接させることができ、画像表示装置４を小型化することができる。
【００２３】
〔実施形態の変形〕
本発明は前記実施形態に限定されるものではなく、本発明の目的を達成できる範囲での変形、改良等は本発明に含まれるものである。
前記実施形態では、フレーム粘着面４６１の粘着力は、カバー粘着面４６２の粘着力と比較して弱い粘着力とされていたが、逆に、フレーム粘着面４６１の粘着力を、カバー粘着面４６２の粘着力と比較して強い粘着力としてもよい。要するに、各粘着面の粘着力は異なっていればよい。
前記実施形態では、両面テープ４６は、フレーム４１の周縁部４１２と、表示カバー４５との間に、開口部４１１を囲む環状に配置されていたが、例えば、フレーム４１の周縁部４１２における両端の２箇所に配置してもよい。要するに、フレーム４１に表示カバー４５を貼り付けることができればよい。
【００２４】
前記実施形態では、貼付部材は、両面テープ４６により構成されていたが、例えば、薄い帯状に形成された板等であってもよい。要するに、枠体粘着面と、カバー粘着面とを有していればよい。
前記実施形態では、表示手段は、液晶パネル４２およびバックライトユニット４３により構成されていたが、例えば、有機ＥＬ (Electro Luminescence)ディスプレイ等により構成してもよい。要するに、画像を表示する表示領域を有していればよい。
前記実施形態では、画像表示装置４は、パチンコ機１に用いられるとしたが、例えば、携帯機器や、オーディオ機器などに用いてもよい。また、液晶テレビ等の画像表示装置に本発明を適用してもよい。
【産業上の利用可能性】
【００２５】
本発明は、表示カバーを備える画像表示装置に利用でき、特に遊技機等に用いられる画像表示装置に好適に利用することができる。
【図面の簡単な説明】
【００２６】
【図１】本実施形態に係るパチンコ機の外観を示す斜視図。
【図２】前記実施形態における画像表示装置の構成を示す分解斜視図。
【図３】前記実施形態における画像表示装置の構成を示す横断面図。
【符号の説明】
【００２７】
１…パチンコ機（遊技機）、４…画像表示装置、４１…フレーム（枠体）、４２…液晶パネル（表示手段）、４２Ａ…表示領域、４３…バックライトユニット（表示手段）、４５…表示カバー（カバー部材）、４６…両面テープ（貼付部材）、４１１…開口部、４１２…周縁部、４６１…フレーム粘着面（枠体粘着面）、４６２…カバー粘着面。
【図１】
2008237636.tif 000003
【図２】
2008237636.tif 000004
【図３】
2008237636.tif 000005